(57)【特許請求の範囲】
【請求項１】
長尺のプリント媒体を搬送し、該プリント媒体に画像をプリントするプリント装置と、該プリント装置の下流に配置され、プリント媒体を移送しながら切断する切断装置と、を有する装置において、該プリント装置の搬送路と該切断装置の搬送路とが互いに角度をもって配置され、互いの搬送路の交点近傍に、プリント媒体を該切断装置に案内し、且つ、前記切断装置の搬送路から退避可能に構成することによって、該切断装置が該プリント媒体を切断することで該プリント媒体に生じるループを保持するための案内手段を具備することを特徴とする切断装置。
【請求項２】
前記案内手段は、切断時にプリント媒体のたるみによって上方に退避することを特徴とする請求項１記載の切断装置。
【発明の詳細な説明】
【０００１】
【発明の属する技術分野】
本発明はプリンタ、例えばＰＯＳ，ＦＡ物流等で広く利用されるラベルプリンタに関し、より詳しくは、前記のようなラベルプリンタによりプリントされる長尺のプリント媒体を斜め切れ等がなく好適に切断し得るようにした切断装置に関するものである。
【０００２】
【従来の技術】
従来、ラベルプリンタに使用される切断装置では、ラベルプリンタでプリントされた長尺のプリント媒体は、該ラベルプリンタの搬送路から、該搬送路と一直線になるように配置された切断装置の搬送路へと搬送され、回転式切断刃を有する切断装置により所定のサイズに切断されていた。そして、プリント媒体の切断装置への案内手段は固定式であった。
【０００３】
【発明が解決しようとする課題】
上記従来例では、軸方向に傾斜したいわゆるスパイラル刃を有する回転式切断装置によりプリント媒体を切断する時に生じるたるみは、被切断物の剛性（いわゆる腰の強さ）によってできにくくなることがあり、剛性のない被切断物ではたるみができて真っ直ぐに切れるが、剛性のある被切断物では、切り始めは剛性のない被切断物と同じ位置で切れ始めても、切り終わりでは剛性のない被切断物の切断装置と異なり、たるみができないために、被切断物の剛性によって送られた位置で切断され、よって、斜めに切れることがあった。
【０００４】
また、プリント装置のプリント搬送速度と、該切断装置によるプリント媒体の切断時の切断搬送速度との関係は、切断搬送速度がプリント搬送速度よりも速いとプリント媒体にひっぱり合いを生じるので切断搬送速度をプリント搬送速度と同じか、低めに設定する。この速度差によって生じる切断装置とプリント装置間のプリント媒体のたるみを直線搬送路上で吸収しようとすると、プリント媒体の剛性が高い場合にはたるみが形成しにくく、搬送負荷になる場合があった。
【０００５】
本発明は上記のような問題点を解決し、斜め切れすることなく、被切断物を切断し得るようにした切断装置を提供することを目的とする。
【０００６】
【課題を解決するための手段】
上記目的を達成するために、本出願に係る第１の発明は、長尺のプリント媒体を搬送し、該プリント媒体に画像をプリントするプリント装置と、該プリント装置の下流に配置され、プリント媒体を移送しながら切断する切断装置と、を有する装置において、該プリント装置の搬送路と該切断装置の搬送路とが互いに角度をもって配置され、互いの搬送路の交点近傍に、プリント媒体を該切断装置に案内し、且つ、前記切断装置の搬送路から退避可能に構成することによって、該切断装置が該プリント媒体を切断することで該プリント媒体に生じるループを保持するための案内手段を具備することを特徴とする。
【０００７】
本出願に係る第２の発明は、前記案内手段は、切断時にプリント媒体のたるみによって上方に退避することを特徴とする。
【０００８】
【発明の実施の形態】
図１は本発明の特徴を最もよく表す図面であり、図２は本発明に係る案内ガイドの詳細を表す図である。１はプリント装置、１０１はプリント装置１に連続した長尺のプリント媒体５０を供給するプリント媒体供給装置、２０１はプリント装置１でプリントされたプリント媒体５０を所望の長さに切断する切断装置である。
【０００９】
１０１のプリント媒体供給装置について説明すると、１０２，１０３は供給ローラであって、互いに平行に配設されている。供給ローラ１０２，１０３上にロール状プリント媒体を載置すると、図示しないモータの回転が供給ローラ１０２，１０３に伝達され、ロール状プリント媒体５１の自重と供給ローラ１０２，１０３の表面の摩擦係数によって、回転力を得る。回転したロール状プリント媒体５１は、その上流で最外周が分離される。
【００１０】
１０４はループセンサであって、軸１０４ａを中心に揺動自在に構成されている。ループセンサ１０４は、プリント媒体５０の張力によって揺動してプリント媒体が所定のたるみ量になると検知する構成である。プリント媒体５０はループセンサ１０４の上方を通り、２つの斜送ローラ１０５，１０６及び各々の上方には、斜送コロ１０７，１０８が配設され、各々は斜送ローラ１０５，１０６に押圧されている。斜送コロ１０７，１０８は圧着板１０９に支持されており、圧着板１０９が図示しないソレノイドによって上方に退避する。これによって斜送コロ１０７，１０８が上方に退避する。
【００１１】
次にプリント装置１について詳細を説明する。プリント媒体供給装置１０１から供給されたプリント媒体５０は、駆動ローラ３，４間に張架された搬送ベルト２と、駆動ローラ３上に配置されたピンチコロ５の間に挟持され、搬送される。更にプリント媒体５０は、搬送ベルト２上を下流側へ搬送路１１に沿って搬送され、駆動ローラ４上に配置された排紙コロ６との間で、駆動ローラ３によって挟持、搬送されたプリント媒体が高速ですべりながら搬送される構成となっている。
【００１２】
７，８，９，１０はプリントヘッドであって公知のインクジェット記録方式を用いるものである。一般に７，８，９，１０の順にブラック、シアン、マゼンタ、イエローのインクが吐出される。インクジェット記録方式については公知であるので、詳細は省略する。
【００１３】
次に切断装置２０１について詳細を説明する。プリント装置１でプリントされ送出されたプリント媒体は、切断装置２０１の搬送路２１０に沿って搬送されるが、該搬送路２１０は前記プリント装置の搬送路１１に対し角度をもって配置されており、両搬送路の交点近傍に案内ガイド２０２が設けられている。該案内ガイド２０２は、中心軸２０２ａの周りに揺動可能に構成されている。中心軸２０２ａの位置は、プリント装置１における搬送面１１よりも上方にあることが好ましい。
【００１４】
案内ガイド２０２は、プリント装置１から排出されるプリント媒体５０の先端が突入すると、図２（ａ）の位置、すなわちプリント媒体５０を切断装置２０１の切断部２０７に案内する。２０３はプリント媒体５０の下側に配置され、プリント媒体５０を案内する下ガイドである。２０４は案内ガイド２０２の下流に配置され、案内ガイド２０２で搬送方向を偏向されたプリント媒体５０の先端を切断部２０７に導くものである。２０５は回転刃であって、回転軸２０５ａの外周の一端に切断刃２０５ｂを構成したものである。２０６は固定刃であって、板材２０６ａの一端に切断刃２０６ｂが構成されたものである。
【００１５】
切断のタイミングによって回転刃２０５は回転軸２０５ａを中心に回転して切断刃２０５ｂと、切断刃２０６ｂがすれあってプリント媒体５０が切断される。切断することによって、プリント媒体５０にたるみ即ちループ５２が生じる。前記のように、プリント装置１の搬送路１１と切断装置２０１の搬送路２１０は角度をもって連続されているので、このループ５２が形成されやすく、そしてこのようにして形成されたループ５２は案内ガイド２０２を上方に押し上げる力が働いてそのループ形状が保持される。このようにしてプリント媒体の斜め切れ等が生じることなくプリント媒体は直線的に切断される。
【００１６】
又、図３は、図２における本発明の揺動式案内ガイド２０２、下ガイド２０３をプリント媒体５０をはさんで上下逆に配置し、前記プリント媒体５０により形成されるループ５２の方向を逆にし、案内ガイド２０２を下方に押しさげるように構成した別の実施形態である。この場合揺動式案内ガイド２０２は圧縮バネ２１０により、通常はガイド板２０３と一定の間隔を保持するようになっている。プリント媒体５０の排出方向によっては図３のような構成をとる事も可能であり、プリント面を搬送ガイド板でこする事も少なく有効である。
【００１７】
又、図示はしないが、切断時にプリント媒体のたるみをとるという観点からいえば、切断時のタイミングをとり、ソレノイド等でガイド板を一時強制的に移動、退避させる構造をとる事も可能である。
【００１８】
【発明の効果】
以上説明したように、本発明によれば、プリント装置の搬送路と切断装置の搬送路を互いに角度をもって配置し、両搬送路の交点近傍にプリント媒体を案内し、且つ、前記切断装置の搬送路から退避可能に構成することによって、該切断装置が該プリント媒体を切断することで該プリント媒体に生じるループを保持するための案内手段を具備するので、プリント媒体のループを形成しやすくするとともにそのループ形状を保持し、プリント媒体の切断時の斜め切れ等を防ぐことができる。
【図面の簡単な説明】
【図１】本発明の実施形態に係る切断装置をプリント装置に装着した例を示す図
【図２】本発明の実施形態に係る切断装置の動作を表わす状態図
【図３】本発明の揺動式案内ガイドを下側に配置した別の実施形態を示す図
【符号の説明】
１…プリント装置                    １０１…プリント媒体供給装置
２０１…切断装置                    ２０２…揺動式案内ガイド
２０３…下ガイド                    ２０５…回転刃
２０６…固定刃
【図１】
0003599294.tif 000002
【図２】
0003599294.tif 000003
【図３】
0003599294.tif 000004